(57)【要約】【課題】タッチ強度に基づいてロックモードを解除し、意図しないタッチによるロック解除を防止できるようにした移動端末機及びその駆動方法を提供する。【解決手段】本発明による移動端末機の駆動方法は、ロックモードにおいて複数のタッチが発生すると前記複数のタッチ各々のタッチ強度を検出し、前記検出された複数のタッチ強度に基づいて前記ロックモードを解除したり、前記検出された複数のタッチ強度に対応する機能を実行することができる。【選択図】図２
2016053952.tif 000002
【特許請求の範囲】
【請求項１】
タッチスクリーンを具備した移動端末機の駆動方法において、
ロックモードにおいて複数のタッチが発生すると前記複数のタッチ各々のタッチ強度を検出する段階（Ａ）と、及び
前記検出された複数のタッチ強度に基づいて前記ロックモードを解除する段階（Ｂ）を含む、移動端末機の駆動方法。
【請求項２】
前記段階（Ｂ）は、
第１基準値と第１基準値より大きい第２基準値を基準にして、前記検出された複数のタッチ強度各々を弱いタッチ又は強いタッチに分類して、前記弱タッチと強タッチの組み合わせからなる入力タッチ強度の組み合わせを検出する段階と、及び
予め設定されたロック解除強度の組み合わせと前記検出された入力タッチ強度の組み合わせが互いにマッチングする場合、前記ロックモードを解除する段階を含む、請求項１に記載の移動端末機の駆動方法。
【請求項３】
前記段階（Ｂ）は、
前記検出された複数のタッチ強度に対応する機能を実行する段階を含む、請求項１に記載の移動端末機の駆動方法。
【請求項４】
前記段階（Ｂ）は、
第１基準値と第１基準値より大きい第２基準値を基準にして、前記検出された複数のタッチ強度各々を弱いタッチ又は強いタッチに分類して、前記弱タッチと強タッチの組み合わせからなる入力タッチ強度の組み合わせを検出する段階と、及び
予め設定された複数のタッチシナリオのうち、前記検出された入力タッチ強度の組み合わせとマッチングするタッチシナリオが存在する場合、前記ロックモードを解除するとともに、前記検出された入力タッチ強度の組み合わせとマッチングするタッチシナリオに設定された機能を実行する段階を含み、
前記複数のタッチシナリオ各々は、ユーザーにより選択された、それぞれ異なる前記弱タッチと強タッチの組み合わせからなり、ユーザーにより選択された、それぞれ異なる機能に設定される、請求項３に記載の移動端末機の駆動方法。
【請求項５】
タッチスクリーンを具備した移動端末機の駆動方法において、
ロックモードにおいて複数のタッチが発生すると前記複数のタッチ各々のタッチ位置とタッチ強度を検出する段階（Ａ）と、
前記検出されたタッチ位置とタッチ強度によってタッチ位置別タッチ強度を検出する段階（Ｂ）と、及び
前記検出されたタッチ位置別タッチ強度に基づいて前記ロックモードを解除する段階（Ｃ）を含む、移動端末機の駆動方法。
【請求項６】
前記段階（Ｃ）は、
第１基準値と第１基準値より大きい第２基準値を基準にして、前記検出されたタッチ位置別タッチ強度を弱いタッチ又は強いタッチに分類して、前記弱タッチと強タッチの組み合わせからなる入力タッチ強度の組み合わせを検出する段階と、及び
予め設定されたロック解除強度の組み合わせと前記検出された入力タッチ強度の組み合わせが互いにマッチングする場合、前記ロックモードを解除する、請求項５に記載の移動端末機の駆動方法 。
【請求項７】
前記段階（Ａ）は、タッチ駆動電極とタッチ感知電極の間に介在された弾性誘電体部材の厚さの変化による静電容量変化をセンシングして前記複数のタッチ各々のタッチ強度を検出する、請求項１から６のいずれか一項に記載の移動端末機の駆動方法。
【請求項８】
前記段階（Ａ）は、前記タッチの位置に対応されるハプティック領域を検出し、前記検出されたタッチ強度に対応される振動を前記ハプティック領域に形成する段階をさらに含む、請求項７に記載の移動端末機の駆動方法。
【請求項９】
タッチスクリーンと、
前記タッチスクリーンに対するタッチをセンシングしてセンシングデータを生成するタッチ駆動部と、及び
ロックモードにおいて前記タッチ駆動部から提供される複数のタッチ各々のセンシングデータに基づいて複数のタッチ各々のタッチ強度を検出し、前記検出された複数のタッチ強度に基づいて前記ロックモードを解除したり、前記検出された複数のタッチ強度に対応する機能を実行する制御部を含む、移動端末機。
【請求項１０】
前記制御部は、前記複数のタッチ各々のセンシングデータに基づいて複数のタッチ位置を検出し、検出された複数のタッチ位置とタッチ強度に基づいてタッチ位置別タッチ強度を検出し、前記検出されたタッチ位置別タッチ強度に基づいて前記ロックモードを解除する、請求項９に記載の移動端末機。
【請求項１１】
前記制御部は、
前記検出された複数のタッチ強度に対応する機能を実行する、請求項９に記載の移動端末機。
【請求項１２】
前記タッチスクリーンは、
複数のタッチ駆動電極と、
複数のタッチ駆動電極上に配置された弾性誘電体部材と、及び
前記複数のタッチ駆動電極各々と交差しながら重畳するように、前記弾性誘電体部材上に互いに離隔されながら並んで配置されたタッチ感知電極と第１補助電極を有する複数のタッチ感知電極グループを含む、請求項９から１１のいずれか一項に記載の移動端末機。
【請求項１３】
前記タッチ駆動部は、タッチ強度感知の時に、前記第１補助電極を前記タッチ感知電極に連結させて、タッチ位置感知の時に、前記第１補助電極をフローティングさせる、請求項１２に記載の移動端末機。
【請求項１４】
前記複数のタッチ感知電極グループ各々は、前記タッチ感知電極を介して前記第１補助電極と並んだ第２補助電極をさらに含み、
前記タッチ駆動部は、タッチ強度感知の時に、前記タッチ感知電極グループ単位で前記第１及び第２補助電極を前記タッチ感知電極に連結させて、タッチ位置感知の時に、前記タッチ感知電極グループ単位で第１及び第２補助電極をフローティングさせる、請求項１２に記載の移動端末機。
【請求項１５】
前記制御部は、前記タッチの位置に対応されるハプティック領域を検出し、前記検出されたタッチ強度に対応されるハプティック駆動信号を生成し、
前記タッチ駆動部は、前記ハプティック駆動信号に対応される交流電圧を生成して前記ハプティック領域に含まれたタッチ駆動電極に印加し、前記ハプティック領域に含まれたタッチ感知電極グループのタッチ感知電極と第１及び第２補助電極に接地電圧を印加して前記ハプティック領域に振動を形成する、請求項１４に記載の移動端末機。
【発明の詳細な説明】
【技術分野】
【０００１】
本発明は、移動端末機及びその駆動方法に関するものであって、より具体的には、意図しないタッチによるロック解除を防止できるようにした移動端末機及びその駆動方法に関するものである。
【背景技術】
【０００２】
最近、通信技術の急速な発展により、移動端末機からの機能が徐々に拡大されており、これに合わせてより多様なユーザーインターフェース（Ｕｓｅｒ  Ｉｎｔｅｒｆａｃｅ：ＵＩ）及びこれを利用した多様な機能が提供されている。
【０００３】
一般的に、タッチスクリーン基盤の移動端末機は、待機状態において不必要な入力ミスを制限したり他のユーザーによる使用を制限するために色々な方法のロック解除機能を含んでいる。
【０００４】
このように、ロック解除機能が設定された移動端末機は、ユーザーから一定時間の間、どのような入力もない場合にロック解除機能を実行するようになる。これによってユーザーは、事前に設定されたロック解除方法を通じてロックを解除した後、望む移動端末機の機能を使用するようになる。例えば、従来のロック解除方法は、予め設定された領域内で行われるタッチアンドドラッグ方式を通じてロックを解除することができる。
【０００５】
しかし、従来のロック解除方法は、ユーザーが意図しないユーザータッチによってロック解除が可能であり、これによって移動端末機が誤動作することができるという問題がある。
【発明の概要】
【発明が解決しようとする課題】
【０００６】
本発明は、前述した問題を解決するために案出されたものであって、タッチ強度に基づいてロックモードを解除し、意図しないタッチによるロック解除を防止できるようにした移動端末機及びその駆動方法を提供することを技術的課題とする。
【課題を解決するための手段】
【０００７】
前述した技術的課題を達成するための本発明に係る移動端末機の駆動方法は、ロックモードにおいて複数のタッチが発生すると前記複数のタッチ各々のタッチ強度を検出し、前記検出された複数のタッチ強度に基づいて前記ロックモードを解除したり、前記検出された複数のタッチ強度に対応する機能を実行することができる。
【０００８】
前述した技術的課題を達成するための本発明に係る移動端末機の駆動方法は、ロックモードにおいて複数のタッチが発生するとタッチ位置別タッチ強度を検出し、前記検出されたタッチ位置別タッチ強度に基づいて前記ロックモードを解除したり、前記検出されたタッチ位置別タッチ強度に対応する機能を実行することができる。
【０００９】
前述した技術的課題を達成するための本発明に係る移動端末機は、ロックモードにおいてタッチ駆動部から提供される複数のタッチ各々のセンシングデータに基づいて複数のタッチ各々のタッチ強度を検出し、前記検出された複数のタッチ強度に基づいて前記ロックモードを解除したり、前記検出された複数のタッチ強度に対応する機能を実行する制御部を含むことができる。
【発明の効果】
【００１０】
前記課題を解決するための手段によれば、本発明は次のような効果がある。
【００１１】
第１、タッチ強度に基づいてロックモードを解除することによって、意図しないユーザータッチによるロックモードの解除を防止することができる。
【００１２】
第２、タッチ強度に基づいてロックモードを実行して解除することによって移動端末機のセキュリティ機能を強化することができる。
【００１３】
第３、ロックモードでユーザータッチのタッチ強度によってロックを解除すると同時に、タッチ強度に対応する移動端末機の機能をすぐに実行させることによってロックモードで機能実行のためのユーザータッチの回数を減らすことができる。
【００１４】
第４、タッチ駆動電極とタッチ感知電極の間に介在された弾性誘電体を利用してタッチ位置及びタッチ強度をセンシングすることによって指タッチだけでなく非伝導性物体タッチをセンシングすることができる。
【００１５】
前述した本発明の技術的課題以外にも、本発明の他の特徴及び利点が以下において記述されたり、そのような記述及び説明から本発明の属する技術分野における通常の知識を有する者に明確に理解されることができるものである。
【図面の簡単な説明】
【００１６】
【図１】本発明の一例による移動端末機を説明するための図面である。
【図２】本発明によるタッチ強度に対する弱タッチと強タッチを説明するための図面である。
【図３】本発明による移動端末機において弱タッチと強タッチ各々の強度を設定するための画面を例示した図面である。
【図４】本発明による移動端末機においてロック解除強度の組み合わせを設定するための画面を例示した図面である。
【図５】本発明による移動端末機においてタッチシナリオを設定するための画面を例示した図面である。
【図６】図１に図示された一例によるタッチスクリーンを説明するための図面である。
【図７】本発明の一例によるタッチスクリーンの電極構造を示す斜視図である。
【図８】図７に図示されたＩ-Ｉ′線の断面を示す断面図である。
【図９ａ】本発明によるタッチ強度感知、タッチ位置感知、及びハプティック駆動による第１及び第２補助電極各々とタッチ感知電極間の連結を示す断面図である。
【図９ｂ】本発明によるタッチ強度感知、タッチ位置感知、及びハプティック駆動による第１及び第２補助電極各々とタッチ感知電極間の連結を示す断面図である。
【図９ｃ】本発明によるタッチ強度感知、タッチ位置感知、及びハプティック駆動による第１及び第２補助電極各々とタッチ感知電極間の連結を示す断面図である。
【図１０】本発明の他の例によるタッチスクリーンの電極構造を示す斜視図である。
【図１１】本発明の一例による移動端末機の駆動方法において、ロック解除方法を説明するための順序図である。
【図１２】本発明の一例による移動端末機の駆動方法において、ロックモードでショートカット実行方法を説明するための順序図である。
【発明を実施するための形態】
【００１７】
本明細書において記述される用語の意味は、次の通り理解されるべきである。
【００１８】
単数の表現は、文脈上明らかに他の意味として定義しない限り、複数の表現を含むものと理解しなければならず、「第１」、「第２」などの用語は、一つの構成要素を他の構成要素から区別するためのもので、これらの用語によって権利範囲が限定されてはならない。「含む」または「有する」などの用語は、一つまたはそれ以上の他の特徴や数字、段階、動作、構成要素、部品、又はこれらを組み合わせたものの存在または付加可能性をあらかじめ排除しないものとして理解されなければならない。「少なくとも一つ」という用語は、一つ以上の関連項目から提示可能な全ての組み合わせを含むものとして理解されなければならない。例えば、「第１項目、第２項目、及び第３項目のうち少なくとも一つ」という意味は、第１項目、第２項目、または第３項目それぞれだけでなく第１項目、第２項目、及び第３項目のうち二つ以上から提示されることができる全ての項目の組み合わせを意味する。「上に」という用語は、ある構成が他の構成のすぐ上面に形成される場合だけでなく、これらの構成の間に第３の構成が介在される場合まで含むものを意味する。
【００１９】
以下では、本発明による移動端末機及びその駆動方法の好ましい例を添付した図面を参照して詳細に説明する。各図面の構成要素に参照符号を付加することにあって、同一な構成要素に対しては、たとえ他の図面上に表示されても可能な限り同一符号を有することができる。又、本発明を説明することにあって、関連された公知構成又は機能に対する具体的な説明が本発明の要旨を濁しかねないと判断される場合には、その詳細な説明は省略することができる。
【００２０】
図1は、本発明の一例による移動端末機を説明するための図面である。
【００２１】
図１を参照すると、本発明の一例による移動端末機は表示部１１０、タッチスクリーン１２０、タッチ駆動部１３０、制御部１４０、及び格納部１５０を含む。
【００２２】
前記表示部１１０は、ディスプレイパネル及びパネル駆動部を含む。ディスプレイパネルは、液晶ディスプレイパネル又は有機発光ディスプレイパネルがなることができる。パネル駆動部は、制御部１４０から提供される映像データとパネル制御信号に応答してディスプレイパネルに所定の映像を表示する。
【００２３】
前記タッチスクリーン１２０は、複数のタッチ駆動電極、複数のタッチ駆動電極と交差する複数のタッチ感知電極、及びタッチ駆動電極とタッチ感知電極の交差領域ごとに形成された複数のタッチセンサを含んで構成されることができる。
【００２４】
前記複数のタッチセンサ各々は、タッチスクリーン１２０に対するユーザータッチによりタッチ領域で抵抗値、静電容量、又は物性などが変化できるように構成される。特に、複数のタッチセンサはユーザーのタッチの時、タッチスクリーン１２０のタッチ領域にかかる加圧力に対応されるタッチ強度がセンシングできるように構成される。例えば、前記タッチスクリーン１２０は抵抗膜方式、ピエゾ（Ｐｉｅｚｏ）方式、静電容量方式、又は電気活性ポリマー（Ｅｌｅｃｔｒｏ−ａｃｔｉｖｅ  Ｐｏｌｙｍｅｒ）方式を利用してユーザータッチに対応されるタッチ位置及びタッチ強度をセンシングできるように構成されることができる。
【００２５】
前記タッチ駆動部１３０は、ユーザータッチによって発生するタッチセンサの変化値をセンシングしてタッチ位置に対する位置センシング信号を生成し、位置センシング信号を位置センシングデータにデジタル変換して制御部１４０に提供する。又、前記タッチ駆動部１３０は、前記制御部１４０の制御に応答して、前記タッチ位置に該当するタッチセンサの変化値をセンシングしてタッチ強度に対する強度センシング信号を生成し、強度センシング信号を強度センシングデータにデジタル変換して制御部１４０に提供する。例えば、前記タッチ駆動部１３０は、複数のタッチ駆動電極にタッチ駆動パルスを供給しながら複数のタッチ感知電極を通じてタッチセンサの変化値をセンシングして前記位置センシングデータ及び前記強度センシングデータを制御部１４０に提供することができる。
【００２６】
前記制御部１４０は、移動端末機の全般的な動作を制御する役割を果たす。以下の説明では、制御部１４０の機能の中で本発明と関連した機能のみ説明することにする。
【００２７】
前記制御部１４０は、ユーザーインターフェースを通じて入力されるユーザー入力によって該当アプリケーションを実行し、実行されるアプリケーションに対応される映像データとパネル制御信号を生成して表示部１１０に提供することによってディスプレイパネルに映像が表示されるようにする。
【００２８】
又、前記制御部１４０は、タッチ駆動部１３０をタッチ位置感知モードとタッチ強度感知モードに駆動させて、各モードによってタッチ駆動部１３０から提供されるセンシングデータに基づいてタッチ位置を検出し、検出されたタッチ位置に該当する移動端末機の機能を奏する。
【００２９】
前記制御部１４０は、ユーザーから一定時間の間どのようなタッチ入力及びボタン入力も無い場合、移動端末機をロックモード（又は待機モード）状態に転換する。
【００３０】
第１例による制御部１４０は、ロックモードにおいてロックモード解除のための複数のタッチが発生する場合、タッチ駆動部１３０から提供される複数のタッチ各々の強度センシングデータから複数のタッチ強度を検出し、検出された複数のタッチ強度によってロックモードを解除したりロックモードの実行を維持する。一般的に、移動端末機の機能を実行させるためのユーザータッチの強度は、意図しないタッチの強度より高い強度を有するため、本発明はタッチ強度に基づいて、意図を有するユーザータッチの場合のみロックモードを解除して、意図しないユーザータッチによるロック解除を防止できるようになる。
【００３１】
具体的に、制御部１４０は、格納部１５０に格納されている第１基準値と第１基準値より大きい第２基準値を基準にして、ロックモードで検出された複数のタッチ強度各々を弱いタッチ又は強いタッチに分類して入力タッチ強度の組み合わせを検出する。その後、制御部１４０は、ユーザーの設定によって弱タッチ及び強タッチの組み合わせで予め設定され、格納部１５０に格納されているロック解除強度の組み合わせと検出された入力タッチ強度の組み合わせのマッチングの有無によってロックモードを解除したりロックモードの実行を維持する。ここで、図２に図示されたように、前記弱タッチ（ＷＴ）は、第１及び第２基準値（Ｒｅｆ１、Ｒｅｆ２）の間のタッチ強度に定義され、前記強タッチ（ＳＴ）は、第２基準値（Ｒｅｆ２）を超過するタッチ強度に定義されることができる。一方、第１基準値（Ｒｅｆ１）未満のタッチ強度を有するタッチは、ロック解除のためのタッチとして認識されない。この時、前記第１基準値（Ｒｅｆ１）は、第２基準値（Ｒｅｆ２）より低い値を有する範囲内でユーザーにより再設定されることができ、前記第２基準値（Ｒｅｆ２）もまた第１基準値（Ｒｅｆ１）より高い値を有する範囲内でユーザーにより再設定されることができる。
【００３２】
前記ロック解除強度の組み合わせと入力タッチ強度の組み合わせ各々は、ロックモード解除のためのタッチ入力回数と弱タッチ及び強タッチの組み合わせに対応される全体の場合の数のうち、いずれか一つであることができる。例えば、ロックモード解除のためのタッチ入力回数がＮ回である場合、ロック解除強度の組み合わせと入力タッチ強度の組み合わせ各々はＮ２個の場合の数のうち、いずれか一つによる弱タッチと強タッチの組み合わせであることができる。
【００３３】
前記ロック解除強度の組み合わせが、連続した第１〜第３タッチの強度によって弱タッチと弱タッチ及び強タッチの順序で組み合わせられ格納部１５０に格納されている場合、第１例による制御部１４０は、ロックモードで発生する第１〜第３タッチ各々に対するタッチ強度に基づいてロックモードを解除する。即ち、前記制御部１４０は、ロック解除のための第１〜第３タッチ各々のタッチ強度による入力タッチ強度の組み合わせが弱タッチと弱タッチ及び強タッチの順序で行われ、予め設定されたロック解除強度の組み合わせとマッチングする場合にはロックモードを解除し、前記入力タッチ強度の組み合わせがロック解除強度の組み合わせとマッチングしない場合にはロックモードを維持する。その結果、本発明はタッチ強度に基づいてロックモードを解除するので意図しないタッチによるロック解除を防止することができる。
【００３４】
一方、第１例による制御部１４０は、ロックモードが解除された駆動モードで発生する複数のタッチ各々に対するタッチ強度に基づいてロックモードを実行することができる。即ち、第１例による制御部１４０は、ロックモードが解除された駆動モードで前記ロック解除強度の組み合わせとマッチングする入力タッチ強度の組み合わせからなる複数のタッチが発生する場合、ロックモードを行い、前記入力タッチ強度の組み合わせがロック解除強度の組み合わせとマッチングしない場合には駆動モードを維持させる。
【００３５】
又、第１例による制御部１４０は、ロックモードで発生する複数のタッチに基づいて入力タッチ強度の組み合わせを検出し、検出された入力タッチ強度の組み合わせによってロックモードを解除すると同時に、検出された入力タッチ強度の組み合わせに対応される機能（又は、アプリケーション）を実行する。即ち、第１例による制御部１４０は、ロックモードで発生する複数のタッチ各々の強度に基づいてロックモードでロックモードを解除すると同時に機能を奏するショートカット機能を奏する。
【００３６】
具体的に、第１例による制御部１４０は、ロックモードで検出される複数のタッチ強度各々を弱タッチ又は強タッチに分類して入力タッチ強度の組み合わせを検出し、ユーザーの設定により予め設定され格納部１５０に格納されている複数のタッチシナリオの中から検出された入力タッチ強度の組み合わせとマッチングするタッチシナリオが存在する場合、ロックモードを解除すると同時に、前記入力タッチ強度の組み合わせとマッチングするタッチシナリオに設定された機能を実行し、前記複数のタッチシナリオの中から検出された入力タッチ強度の組み合わせとマッチングするタッチシナリオが存在しない場合、ロックモードの実行を維持する。ここで、前記複数のタッチシナリオ各々は、ユーザーにより選択されたそれぞれ異なる前記弱タッチと強タッチの組み合わせからなり、ユーザーにより選択されたそれぞれ異なる移動端末機の機能に設定される。例えば、複数のタッチシナリオ各々は、下記の表１のように設定されることができる。
【００３７】
【表１】
2016053952.tif 000003
【００３８】
前記のような表１を参照すると、第１例による制御部１４０は、ロックモードで検出される第１及び第２タッチ各々が弱タッチと強タッチの組み合わせからなる第１タッチシナリオである場合、ロックモードを解除すると同時に移動端末機の画面をホームパネル画面に移動させる。そして、第１例による制御部１４０は、ロックモードで検出される第１及び第２タッチ各々が強タッチと強タッチの組み合わせからなる第４タッチシナリオである場合、ロックモードを解除すると同時にカメラ機能を実行する。これによってユーザーは、複数のタッチ各々に対するタッチ強度によって自分が望む機能に対するタッチシナリオを設定し、設定されたタッチシナリオに対応されるタッチ強度で複数のタッチを行うことによって、ロック解除のためのタッチの後に望む機能を実行させるための追加的なタッチを行わずとも、ロックモードで望む機能を実行させることができる。
【００３９】
第２例による制御部１４０は、ロックモードでロックモード解除のための複数のタッチが発生するときに、タッチ駆動部１３０から提供される複数のタッチ各々の位置センシングデータから複数のタッチ位置を検出し、複数のタッチ各々の強度センシングデータからタッチ位置別タッチ強度を検出して、検出されたタッチ位置別タッチ強度によってロックモードを解除したりロックモードの実行を維持する。
【００４０】
具体的に、第２例による制御部１４０は、格納部１５０に格納されている第１基準値と第１基準値より大きい第２基準値に基づいて、ロックモードで検出されたタッチ位置別タッチ強度を弱タッチ又は強タッチに分類して入力タッチ強度の組み合わせを抽出する。その後、制御部１４０はユーザーの設定によってタッチ位置別弱タッチと強タッチの組み合わせで予め設定されて、格納部１５０に格納されているロック解除強度の組み合わせと検出された入力タッチ強度の組み合わせのマッチングの有無によりロックモードを解除したりロックモードの実行を維持する。即ち、本発明はロックモードで発生する複数のタッチ各々のタッチ位置別強度に基づいてロックモードでロックモードを解除することによってタッチ位置とタッチ強度のような二重保安機能を通じてロックモードの保安を強化することができる。
【００４１】
更に、第２例による制御部１４０は、前述した第１例による制御部１４０と同一な方法で、ロックモードで発生する複数のタッチ各々のタッチ位置別強度に基づいて強タッチの組み合わせを検出し、格納部１５０に格納されている複数のタッチシナリオの中から検出された入力タッチ強度の組み合わせとマッチングするタッチシナリオが存在する場合、ロックモードを解除すると同時に、前記入力タッチ強度の組み合わせとマッチングするタッチシナリオに設定された機能を実行し、前記複数のタッチシナリオの中から検出された入力タッチ強度の組み合わせとマッチングするタッチシナリオが存在しない場合、ロックモードの実行を維持することもできる。
【００４２】
追加的に、前述した第１及び第２例による制御部１４０各々は、ユーザータッチによるタッチ位置に基づいてハプティック領域を検出し、タッチ強度によるタッチ駆動パルスを生成してハプティック領域に含まれたタッチ駆動電極に印加することによってハプティック領域に振動のようなハプティック効果を形成することもできる。これによって本発明は、ハプティック効果を通じてユーザータッチに対するタッチ強度をユーザーにリアルタイムでフィードバックすることによってユーザーがタッチ強度を認知しながら入力タッチ強度の組み合わせを生成できるようにして、ユーザーが入力タッチ強度の組み合わせに対するタッチ強度を記憶できるようにする。
【００４３】
図３は、本発明による移動端末機において弱タッチと強タッチ各々の強度を設定するための画面を例示した図面である。
【００４４】
図３を図１と結びつけると、本発明による制御部１４０は、ユーザーがユーザーインターフェースを通じて移動端末機の設定メニューにおいて弱タッチの強度設定メニューを選択すると、弱タッチの強度設定画面（Ｓ１）を表示部１１０に表示する。ここで、前記弱タッチの強度設定画面（Ｓ１）は、ユーザータッチボックス（Ｂ１）、及びタッチ強度表示ボックス（Ｂ２）からなることができる。
【００４５】
先ず、ユーザーは、制御部１４０による弱タッチの要請によって、弱タッチ強度でユーザータッチボックス（Ｂ１）をタッチする。これによって制御部１４０は、ユーザータッチボックス（Ｂ１）においてタッチが発生すると、ユーザータッチに対応されるタッチ強度を検出してタッチ強度表示ボックス（Ｂ２）に表示することによって、ユーザーが弱タッチのタッチ強度を認知できるようにする。この時、制御部１４０は、検出されたタッチ強度に対応されるハプティック駆動信号を生成してユーザータッチ位置にハプティック効果を形成することもできる。
【００４６】
その後、ユーザーは、タッチアンドドラッグ方式を通じてタッチ強度表示ボックス（Ｂ２）に表示されている第１及び第２基準値（Ｒｅｆ１、Ｒｅｆ２）各々に対応される第１及び／又は第２基準ラインの位置を調節することによって、自分が望む弱タッチの基準値を設定することができる。
【００４７】
その後、ユーザーが弱タッチの強度設定画面（Ｓ１）の格納ボックス（Ｂ３）をタッチすると、制御部１４０は、調節された第１及び／又は第２基準ラインの位置に対応されるタッチ強度を弱タッチを定義する第１及び第２基準値（Ｒｅｆ１、Ｒｅｆ２）に再設定して格納部１５０に格納する。ここで、制御部１４０は、弱タッチのタッチ強度を設定するためのユーザータッチ入力を少なくとも３回以上反復的に行った後、最終的に弱タッチを定義する第１及び第２基準値（Ｒｅｆ１、Ｒｅｆ２）を設定して格納部１５０に格納する。
【００４８】
このように、弱タッチの強度設定画面（Ｓ１）を通じた弱タッチの強度設定が完了すると、制御部１４０は、強タッチの強度設定画面（Ｓ２）を表示部１１０に表示する。ここで、前記強タッチの強度設定画面（Ｓ２）は、ユーザータッチボックス（Ｂ１）、及びタッチ強度表示ボックス（Ｂ２）からなることができる。
【００４９】
先ず、ユーザーは、制御部１４０による強タッチの要請によって、弱タッチより強タッチ強度でユーザータッチボックス（Ｂ１）をタッチする。これによって制御部１４０は、ユーザータッチボックス（Ｂ１）においてタッチが発生すると、ユーザータッチに対応されるタッチ強度を検出してタッチ強度表示ボックス（Ｂ２）に表示することによって、ユーザーが強タッチのタッチ強度を認知できるようにする。この時、制御部１４０は、検出されたタッチ強度に対応されるハプティック駆動信号を生成してユーザータッチ位置にハプティック効果を形成することもできる。
【００５０】
その後、ユーザーは、タッチアンドドラッグ方式を通じてタッチ強度表示ボックス（Ｂ２）に表示されている第２基準値（Ｒｅｆ２）に対応される第２基準ラインの位置を調節することによって、自分が望む強タッチの基準値を設定することができる。
【００５１】
その後、ユーザーが強タッチの強度設定画面（Ｓ２）の格納ボックス（Ｂ３）をタッチすると、制御部１４０は、調節された第２基準ラインの位置に対応されるタッチ強度を強タッチを定義する第２基準値（Ｒｅｆ２）に再設定して格納部１５０に格納する。ここで、制御部１４０は、強タッチのタッチ強度を設定するためのユーザータッチ入力を少なくとも３回以上反復的に行った後、最終的に強タッチを定義する第２基準値（Ｒｅｆ２）を設定して格納部１５０に格納する。
【００５２】
図４は、本発明による移動端末機においてロック解除強度の組み合わせを設定するための画面を例示した図面である。
【００５３】
図４を図１と結びつけると、本発明による制御部１４０は、ユーザーがユーザーインターフェースを通じて移動端末機の設定メニューにおいてロック解除強度の組み合わせの設定メニューを選択すると、ロック解除強度の組み合わせの設定画面（Ｓ３）を表示部１１０に表示する。ここで、前記ロック解除強度の組み合わせの設定画面（Ｓ３）は、ユーザータッチボックス（Ｂ１）、タッチ強度表示ボックス（Ｂ２）、タッチ順序設定ボックス（Ｂ３）、及び格納ボックス（Ｂ４）からなることができる。
【００５４】
先ず、ユーザーは、制御部１４０によるタッチの要請によって、弱タッチ又は強タッチのうち、望むタッチ強度でユーザータッチボックス（Ｂ１）をタッチする。これによって制御部１４０は、ユーザータッチボックス（Ｂ１）においてタッチが発生すると、ユーザータッチに対応されるタッチ強度を検出してタッチ強度表示ボックス（Ｂ２）に表示することによって、ユーザーが弱タッチのタッチ強度を認知できるようにする。この時、制御部１４０は、検出されたタッチ強度に対応されるハプティック駆動信号を生成してユーザータッチ位置にハプティック効果を形成することもできる。
【００５５】
その後、ユーザーは、制御部１４０によるタッチ順序選択の要請によって、ロック解除強度の組み合わせの設定画面（Ｓ３）のタッチ順序設定ボックス（Ｂ３）をタッチしてタッチ順序を選択する。これによって制御部１４０は、ユーザータッチによりタッチ順序が選択されると、検出されたタッチ強度を適用するタッチ順序を変形し、ユーザーがタッチ順序を選択しない場合、設定されたタッチ順序を維持する。その後、ユーザーが格納ボックス（Ｂ４）をタッチすると、制御部１４０は、検出されたタッチ強度に対応される弱タッチ又は強タッチを選択されたタッチ順序に対するタッチ強度を設定して格納部１５０に格納する。
【００５６】
このような方式で、制御部１４０は、ロック解除強度の組み合わせを構成する各タッチ順序に対するタッチ強度を設定して格納部１５０に格納することによってロック解除強度の組み合わせの強度設定を完了する。
【００５７】
図５は、本発明による移動端末機においてタッチシナリオを設定するための画面を例示した図面である。
【００５８】
図５を図１と結びつけると、本発明による制御部１４０は、ユーザーがユーザーインターフェースを通じて移動端末機の設定メニューにおいてタッチシナリオの設定メニューを選択すると、タッチシナリオに含まれた第１タッチのタッチ強度を設定するためのタッチシナリオの設定画面（Ｓ４）を表示部１１０に表示する。ここで、前記タッチシナリオの設定画面（Ｓ４）は、ユーザータッチボックス（Ｂ１）、タッチ強度表示ボックス（Ｂ２）、機能選択ボックス（Ｂ３）、及び格納ボックス（Ｂ４）からなることができる。
【００５９】
先ず、ユーザーは、制御部１４０による第１タッチの要請によって、弱タッチ又は強タッチのうち、望むタッチ強度でユーザータッチボックス（Ｂ１）をタッチする。これによって制御部１４０は、ユーザータッチボックス（Ｂ１）においてタッチが発生すると、ユーザータッチに対応されるタッチ強度を検出してタッチ強度表示ボックス（Ｂ２）に表示することによって、ユーザーが弱タッチのタッチ強度を認知できるようにする。この時、制御部１４０は、検出されたタッチ強度に対応されるハプティック駆動信号を生成してユーザータッチ位置にハプティック効果を形成することもできる。
【００６０】
その後、ユーザーは、制御部１４０による機能選択の要請によって、タッチシナリオの設定画面（Ｓ４）の機能選択ボックス（Ｂ３）をタッチして望む移動端末機の機能を選択する。
【００６１】
その後、ユーザーが格納ボックス（Ｂ４）をタッチすると、制御部１４０は、ユーザーにより選択された機能をタッチシナリオに設定された機能で設定し、検出されたタッチ強度に対応される弱タッチ又は強タッチを第１タッチのタッチ強度に設定して格納部１５０に一時格納する。
【００６２】
このように、タッチシナリオに含まれる第１タッチのタッチ強度に対する設定が完了すると、タッチシナリオに含まれる第２タッチのタッチ強度を設定するためのタッチシナリオの設定画面（Ｓ４）を表示部１１０に再び表示する。これによってユーザーは、制御部１４０による第２タッチの要請によって、弱タッチ又は強タッチのうち、望むタッチ強度でユーザータッチボックス（Ｂ１）をタッチする。これによって制御部１４０は、ユーザータッチボックス（Ｂ１）においてタッチが発生すると、ユーザータッチに対応されるタッチ強度を検出してタッチ強度表示ボックス（Ｂ２）に表示する。
【００６３】
その後、制御部１４０は、ユーザーに機能選択を再要請して前記第１タッチの時に選択されたタッチシナリオの機能が合っているか確認し、ユーザーが機能を変更すると変更された機能を該当タッチシナリオの機能として設定する。
【００６４】
その後、ユーザーが格納ボックス（Ｂ４）をタッチすると、制御部１４０は、検出されたタッチ強度に対応される弱タッチ又は強タッチを第２タッチのタッチ強度に設定して格納部１５０に一時格納し、一時格納された第１及び第２タッチのタッチ強度を組み合わせてタッチシナリオのタッチ強度に設定して格納部１５０に格納する。
【００６５】
このような方式で、制御部１４０は、タッチシナリオ別第１及び第２タッチのタッチ強度を設定して格納部１５０に格納することによってタッチシナリオ設定を完了する。
【００６６】
図６は、図１に図示された一例によるタッチスクリーンを説明するための図面である。
【００６７】
図６を参照すると、一例によるタッチスクリーン１２０は、第１〜第ｎタッチ駆動電極（Ｔｘ１〜Ｔｘｎ）、第１〜第ｎタッチ駆動電極（Ｔｘ１〜Ｔｘｎ）上に配置された弾性誘電体部材（図示せず）、及び第１〜第ｎタッチ駆動電極（Ｔｘ１〜Ｔｘｎ）各々と交差しながら重畳されるように弾性誘電体部材上に配置された第１〜第ｍタッチ感知電極グループ（Ｒｘ_Ｇ１〜Ｒｘ_Ｇｍ）を含む。
【００６８】
前記第１〜第ｎタッチ駆動電極（Ｔｘ１〜Ｔｘｎ）各々は、タッチスクリーン１２０の第１方向（Ｘ）に長く延長されるバー形態に形成され、タッチスクリーン１２０のタッチ感知領域１２０ａに第２方向（Ｙ）に沿って一定の間隔に形成される。このような第１〜第ｎタッチ駆動電極（Ｔｘ１〜Ｔｘｎ）各々は、タッチスクリーン１２０の第１端領域に形成された該当駆動ルーティング配線（ＲＬ１）とパッド部（ＰＰ）を通じてタッチ駆動部１３０に連結される。
【００６９】
前記弾性誘電体部材は、弾性力を有しながら誘電率を有する材質からなり、第１〜第ｎタッチ駆動電極（Ｔｘ１〜Ｔｘｎ）上に配置される。
【００７０】
前記第１〜第ｍタッチ感知電極グループ（Ｒｘ_Ｇ１〜Ｒｘ_Ｇｍ）は、タッチスクリーン１２０の第２方向（Ｙ）に長く延長されるバー形態に形成され、タッチスクリーン１２０のタッチ感知領域１２０ａ上に第１〜第ｎタッチ駆動電極（Ｔｘ１〜Ｔｘｎ）各々と交差するように第１方向（Ｘ）に沿って一定の間隔に形成される。
【００７１】
前記第１〜第ｍタッチ感知電極グループ（Ｒｘ_Ｇ１〜Ｒｘ_Ｇｍ）各々は、タッチ感知電極（Ｒｘ）と第１補助電極（Ｓｘａ）及び第２補助電極（Ｓｘｂ）を含んで構成される。
【００７２】
前記タッチ感知電極（Ｒｘ）は、タッチ位置感知又はタッチ強度感知のためのタッチ位置／強度センシング電極として使用されるものであり、タッチスクリーン１２０の第２端領域に形成されたセンシングルーティング配線（ＲＬ２）とパッド部（ＰＰ）を通じてタッチ駆動部１３０に連結される。又、前記タッチ感知電極（Ｒｘ）は、前述したハプティック効果のための上部ハプティック電極として使用される。
【００７３】
前記第１補助電極（Ｓｘａ）は、タッチ強度感知のためのタッチ強度感知電極又はハプティック効果のための上部ハプティック電極としてだけ使用されるものであり、タッチスクリーン１２０の第２端領域に形成された第１ダミールーティング配線（ＲＬ３）とパッド部（ＰＰ）を通じてタッチ駆動部１３０に連結される。
【００７４】
前記第２補助電極（Ｓｘｂ）は、タッチ強度感知のためのタッチ強度感知電極又はハプティック効果のための上部ハプティック電極としてだけ使用されるものであり、タッチスクリーン１２０の第２端領域に形成された第２ダミールーティング配線（ＲＬ４）とパッド部（ＰＰ）を通じてタッチ駆動部１３０に連結される。
【００７５】
図７は、本発明の一例によるタッチスクリーンの電極構造を示す斜視図であり、これは図６に図示されたＡ部分に対するタッチスクリーンの構造で、図８は、図７に図示されたＩ-Ｉ′線の断面を示す断面図である。
【００７６】
図７及び図８を参照すると、一例によるタッチスクリーン１２０は、タッチ駆動電極（Ｔｘ）を有する第１基板１２２、タッチ感知電極（Ｒｘ）と第１及び第２補助電極（Ｓｘａ、Ｓｘｂ）を有する第２基板１２４、第１及び第２基板１２２、１２４の間に介在された弾性誘電体部材１２６を含む。このような本発明は、弾性誘電体部材１２６を利用してタッチ位置及びタッチ強度をセンシングすることができる。
【００７７】
前記第１基板１２２は、透明プラスチック材質で構成されることができる。このような、第１基板１２２は、透明接着剤（図示せず）により表示部１１０の上面に付着されることができる。前記第２基板１２４は、第１基板１２２と同一の透明プラスチック材質で構成されることができる。第２基板１２４は、弾性誘電体部材１２６を介して第１基板１２２と対向するように配置される。
【００７８】
前記タッチ駆動電極（Ｔｘ）は、第１基板１２２上に第１方向（Ｙ）に形成されるものであり、タッチスクリーン１２０の第１方向（Ｘ）に延長される一定の面積のバー（ｂａｒ）形態を形成することができる。タッチ駆動電極（Ｔｘ）は、駆動ルーティング配線（ＲＬ１）を通じてタッチ駆動部（図示せず）に連結され、タッチ駆動部からタッチ駆動パルスの供給を受ける。このようなタッチ駆動電極（Ｔｘ）は、タッチ位置感知の時、又はタッチ強度感知の時にタッチ駆動パルスが供給されるセンシング駆動電極として使用される。
【００７９】
前記タッチ感知電極（Ｒｘ）は、タッチ駆動電極（Ｔｘ）に重畳される第２基板１２４上に第２方向（Ｙ）に形成されるものであり、タッチスクリーン１２０の第２方向（Ｙ）に延長される一定の面積のバー（ｂａｒ）形態を形成することができる。この時、長さ方向（Ｙ）を基準にタッチ感知電極（Ｒｘ）は、タッチ駆動電極（Ｔｘ）の幅より狭い幅を有するように形成されることができる。このような、タッチ感知電極（Ｒｘ）は、センシングルーティング配線（ＲＬ２）を通じてタッチ駆動部に連結されることによりタッチ位置感知又はタッチ強度感知のためのタッチ位置／力センシング電極として使用される。
【００８０】
前記第１補助電極（Ｓｘａ）は、タッチ駆動電極（Ｔｘ）に重畳されるタッチ感知電極（Ｒｘ）の一方の側と並ぶように第２基板１２４上に形成されるものであり、第２方向（Ｙ）に延長される一定の面積のバー（ｂａｒ）形態を形成することができる。この時、長さ方向（Ｙ）を基準に第１補助電極（Ｓｘａ）は、タッチ感知電極（Ｒｘ）の一方の側から一定の間隔で離隔されるとともにタッチ駆動電極（Ｔｘ）の幅より狭い幅又はタッチ感知電極（Ｒｘ）と同一の幅を有するように形成されることができる。このような、第１補助電極（Ｓｘａ）は、第１ダミールーティング配線（ＲＬ３）を通じてタッチ駆動部に連結されることによってタッチ駆動部によりフローティング（Ｆｌｏａｔｉｎｇ）されたりタッチ感知電極（Ｒｘ）又はセンシングルーティング配線（ＲＬ２）に電気的に連結されることができる。例えば、第１補助電極（Ｓｘａ）はタッチ位置感知モードの時に電気的にフローティングされてタッチ位置感知の効率を増加させ、タッチ強度感知モードの時にタッチ感知電極（Ｒｘ）に電気的に連結されてタッチ強度感知電極の面積を増加させてタッチ強度感知の効率を増加させる。
【００８１】
前記第２補助電極（Ｓｘｂ）は、一定の面積のバー（ｂａｒ）形態を有するようにタッチ駆動電極（Ｔｘ）に重畳されるタッチ感知電極（Ｒｘ）の他側と並ぶように第２基板１２４上に第２方向（Ｙ）に形成される。この時、長さ方向（Ｙ）を基準に第２補助電極（Ｓｘｂ）は、タッチ感知電極（Ｒｘ）の他側から一定の間隔で離隔されるとともにタッチ駆動電極（Ｔｘ）の幅より狭い幅を有するように形成されたり、タッチ感知電極（Ｒｘ）又は第１補助電極（Ｓｘａ）と同一の幅を有するように形成されることができる。このような、第２補助電極（Ｓｘｂ）は、第２ダミールーティング配線（ＲＬ４）を通じてタッチ駆動部に連結されることによってタッチ駆動部によりフローティング状態に維持されたりタッチ感知電極（Ｒｘ）に電気的に連結されることができる。例えば、第２補助電極（Ｓｘｂ）はタッチ位置感知モードの時に電気的にフローティングされてタッチ位置感知の効率を増加させ、タッチ強度感知モードの時にタッチ感知電極（Ｒｘ）に電気的に連結されてタッチ強度感知電極の面積を増加させてタッチ強度感知の効率を増加させる。
【００８２】
追加的に、図６及び図７においては、第１及び第２補助電極（Ｓｘａ、Ｓｘｂ）各々が一つのバー形態に形成されることと図示したが、これに限らず、表示部１１０から放出される光の透過率を増加させるために、第１及び第２補助電極（Ｓｘａ、Ｓｘｂ）各々は、電気的に互いに連結される複数のライン構造、メッシュ構造又ははしご構造に形成されたり一定の間隔のスリット又は格子形態に配列される複数の開口部を含むように形成されることもできる。
【００８３】
前記弾性誘電体部材１２６は、第１及び第２基板１２２、１２４の間に介在される。ここで、弾性誘電体部材１２６は、透明接着剤によって第１基板１２２の上面と第２基板１２４の下面に付着することができる。このような弾性誘電体部材１２６は、弾性力を有しながら高誘電率を有する材質からなることができる。例えば、弾性誘電体部材１２６は、ＰＤＭＳ（ｐｏｌｙｄｉｍｅｔｈｙｌｓｉｌｏｘａｎｅ）、アクリル（ａｃｒｙｌｉｃ）又はポリウレタン（ｐｏｌｙ−ｕｒｅｔｈａｎｅ）材質からなることができるが、これに限らず弾性力を有しながら誘電率を有する材質に変更されることができる。
【００８４】
前記弾性誘電体部材１２６は、タッチ感知電極（Ｒｘ）と第１及び第２補助電極（Ｓｘａ、Ｓｘｂ）各々とタッチ駆動電極（Ｔｘ）の間に静電容量（Ｃｍ１、Ｃｍ２、Ｃｍ３）を形成する。特に、弾性誘電体部材１２６は、ユーザーのタッチ強度によって弾性変形され、その厚さが変化されることによって静電容量（Ｃｍ１、Ｃｍ２、Ｃｍ３）を変化させる。この時、静電容量（Ｃｍ１、Ｃｍ２、Ｃｍ３）は、タッチ感知電極（Ｒｘ）と第１及び第２補助電極（Ｓｘａ、Ｓｘｂ）各々とタッチ駆動電極（Ｔｘ）の間の距離によって変わることができる。この時、静電容量（Ｃｍ１、Ｃｍ２、Ｃｍ３）は、電極間の距離に反比例するため、タッチ強度はタッチ強度によって静電容量（Ｃｍ１、Ｃｍ２、Ｃｍ３）の増加変化量をモデリングする力レベルアルゴリズムを通じてセンシングすることができる。
【００８５】
前記第１及び第２基板１２２、１２４の間に弾性誘電率を有する前記弾性誘電体部材１２６が介在されることによってタッチ駆動電極（Ｔｘ）とタッチ感知電極（Ｒｘ）の交差領域にはタッチ位置感知又はタッチ強度感知のための第１タッチセンサ（Ｃｍ１）が形成される。第１タッチセンサ（Ｃｍ１）は、弾性誘電体部材１２６の誘電率とタッチ駆動電極（Ｔｘ）とタッチ感知電極（Ｒｘ）の重畳面積及び距離に基づいた静電容量により形成される。このような、第１タッチセンサ（Ｃｍ１）は、タッチ駆動電極（Ｔｘ）に供給されるタッチ駆動パルスに対応される電荷を充電し、充電された電荷をタッチ感知電極（Ｒｘ）に放電する。この時、第１タッチセンサ（Ｃｍ１）に充電される電荷量は、ユーザーのタッチの有無によって変わるようになる。
【００８６】
図９ａに図示されたように、タッチ強度感知モードによって 前記第１補助電極（Ｓｘａ）がタッチ感知電極（Ｒｘ）（又はセンシングルーティング配線（ＲＬ２））に電気的に連結される場合、第１補助電極（Ｓｘａ）はタッチ感知電極（Ｒｘ）と同一のタッチ強度感知電極の役割をするため、タッチ駆動電極（Ｔｘ）と第１補助電極（Ｓｘａ）の交差領域にタッチ強度感知のための第２タッチセンサ（Ｃｍ２）が形成される。第２タッチセンサ（Ｃｍ２）は、弾性誘電体部材１２６の誘電率とタッチ駆動電極（Ｔｘ）と第１補助電極（Ｓｘａ）の重畳面積及び距離に基づいた静電容量により形成される。この時、第２タッチセンサ（Ｃｍ２）の静電容量は、タッチ駆動電極（Ｔｘ）と第１補助電極（Ｓｘａ）の間の距離変化によって変わるようになる。このような、第２タッチセンサ（Ｃｍ２）は、タッチ駆動電極（Ｔｘ）に供給されるタッチ駆動パルス（Ｔｘ＿ＰＷＭ）に対応される電荷を充電し、充電された電荷を第１補助電極（Ｓｘａ）に放電する。この時、第２タッチセンサ（Ｃｍ２）に充電される電荷量は、ユーザーのタッチ強度によるタッチ駆動電極（Ｔｘ）と第１補助電極（Ｓｘａ）の間の距離変化によって変わるようになる。
【００８７】
一方、図９ｂに図示されたように、タッチ位置感知モードによって前記第１補助電極（Ｓｘａ）がタッチ感知電極（Ｒｘ）と連結されず電気的にフローティングされる場合、タッチ駆動電極（Ｔｘ）と第１補助電極（Ｓｘａ）の間に静電容量（Ｃｍ２）が形成されないようになる。これによってタッチ駆動電極（Ｔｘ）とタッチ感知電極（Ｒｘ）に形成される第１タッチセンサ（Ｃｍ１）の静電容量は、伝導性物体（例えば、指）又は非伝導性物体（例えば、タッチペン）によるタッチによって変化され、これによってタッチ位置感知が可能になり、タッチ位置感知の効率が向上するようになる。
【００８８】
図９ａに図示されたように、タッチ強度感知モードによって前記第２補助電極（Ｓｘｂ）がタッチ感知電極（Ｒｘ）（又はセンシングルーティング配線（ＲＬ２））に電気的に連結される場合、第２補助電極（Ｓｘｂ）はタッチ感知電極（Ｒｘ）と同一のタッチ強度感知電極の役割をするため、タッチ駆動電極（Ｔｘ）と第２補助電極（Ｓｘｂ）の交差領域にタッチ強度感知のための第３タッチセンサ（Ｃｍ３）が形成される。第３タッチセンサ（Ｃｍ３）は、弾性誘電体部材１２６の誘電率とタッチ駆動電極（Ｔｘ）と第２補助電極（Ｓｘｂ）の重畳面積及び距離に基づいた静電容量により形成される。この時、第３タッチセンサ（Ｃｍ３）の静電容量は、タッチ駆動電極（Ｔｘ）と第２補助電極（Ｓｘｂ）の距離変化によって変わるようになる。このような、第３タッチセンサ（Ｃｍ３）は、タッチ駆動電極（Ｔｘ）に供給されるタッチ駆動パルス（Ｔｘ＿ＰＷＭ）に対応される電荷を充電し、充電された電荷を第２補助電極（Ｓｘｂ）に放電する。この時、第３タッチセンサ（Ｃｍ３）に充電される電荷量は、ユーザーのタッチ強度によるタッチ駆動電極（Ｔｘ）と第２補助電極（Ｓｘｂ）の間の距離変化によって変わるようになる。
【００８９】
一方、図９ｂに図示されたように、タッチ位置感知モードによって前記第２補助電極（Ｓｘｂ）がタッチ感知電極（Ｒｘ）と連結されず電気的にフローティングされる場合、タッチ駆動電極（Ｔｘ）と第２補助電極（Ｓｘｂ）の間に静電容量（Ｃｍ３）が形成されないようになる。これによってタッチ駆動電極（Ｔｘ）とタッチ感知電極（Ｒｘ）に形成される第１タッチセンサ（Ｃｍ１）の静電容量は、伝導性物体によるタッチによって変化され、これによってタッチ位置感知が可能になり、タッチ位置感知の効率が向上するようになる。
【００９０】
一方、前記弾性誘電体部材１２６は、ハプティック出力装置の役割をする。即ち、弾性誘電体部材１２６はタッチ感知電極（Ｒｘ）と第１及び第２補助電極（Ｓｘａ、Ｓｘｂ）の各々に接地電圧が印加されると同時にタッチ駆動電極（Ｔｘ）に交流電圧が印加されるによって、圧電効果による膨張と収縮を繰り返すことにより交流電圧の周波数によって振動をするようになり、交流電圧の振幅によって振動の強さが可変される。これによって本発明の制御部１４０は、第１及び第２補助電極（Ｓｘａ、Ｓｘｂ）をタッチ感知電極（Ｒｘ）に電気的に連結するための電極連結信号、タッチ位置に対応されるハプティック領域、及びタッチ強度によるハプティック駆動信号を生成してタッチ駆動部１５０に提供し、タッチ駆動部１５０は、図９ｃに図示されたように、第１及び第２補助電極（Ｓｘａ、Ｓｘｂ）をタッチ感知電極（Ｒｘ）に電気的に連結させて、ハプティック駆動信号による交流電圧（ＡＣ）を生成してハプティック領域に含まれたタッチ駆動電極（Ｔｘ）に供給しながらタッチ感知電極（Ｒｘ）に接地電圧を供給する。したがってハプティック領域においては、前記弾性誘電体部材１２６に印加される交流電圧（ＡＣ）と接地電圧（ＧＮＤ）により振動のようなハプティック効果が形成される。結果的に本発明は、弾性誘電体部材１２６をハプティック出力装置、即ちアクチュエーターとして活用することによって別途のハプティック出力装置なしでもハプティック効果を提供することができる。
【００９１】
追加的に、前記第１及び第２補助電極（Ｓｘａ、Ｓｘｂ）の各々の一方の側は、ブリッジ電極（図示せず）により互いに電気的に接続される。即ち、前記ブリッジ電極は、タッチ感知電極（Ｒｘ）の一方の側面と所定の間隔に離隔されながら並んで形成され、第１及び第２補助電極（Ｓｘａ、Ｓｘｂ）の各々の一方の側に電気的に接続される。これによって互いに電気的に接続されるブリッジ電極と第１及び第２補助電極（Ｓｘａ、Ｓｘｂ）は、平面的に“⊂”字形状又は“⊃”字形状を有するようになる。
【００９２】
図１０は、本発明の他の例によるタッチスクリーンの電極構造を示す斜視図であり、これは図６に図示されたＡ部分に対するタッチスクリーンの構造である。
【００９３】
本発明の他の例によるタッチスクリーンは、前述した一例によるタッチスクリーン１２０において、弾性誘電体部材１２６の下面にタッチ駆動電極（Ｔｘ）を形成し、弾性誘電体部材１２６の上面にタッチ感知電極（Ｒｘ）と第１及び第２補助電極（Ｓｘａ、Ｓｘｂ）を形成したものである。即ち、他の例によるタッチスクリーン１２０は、タッチ駆動電極（Ｔｘ）、タッチ感知電極（Ｒｘ）、第１及び第２補助電極（Ｓｘａ、Ｓｘｂ）を弾性誘電体部材１２６に形成し、前述した第１及び第２基板１２２、１２４各々を省略したものである。これによって他の例によるタッチスクリーン１２０は、第１及び第２基板１２２、１２４各々が省略されることを除外しては、図６に図示されたタッチスクリーン１２０と同一の電極構造を有することによってタッチ位置感知とタッチ強度感知が全て可能で、その構造が単純化されるによって薄い厚さを有するようになる。
【００９４】
付加的に、前述したタッチスクリーン１２０は、第１及び第２補助電極（Ｓｘａ、Ｓｘｂ）を含むものと説明したが、これに限らず、第１及び第２補助電極（Ｓｘａ、Ｓｘｂ）のうち、いずれか一つはセンシングモードに関係なく電気的にフローティングされていて、残りの一つは前述したように、センシングモードの時によってフローティングされたりタッチ感知電極に電気的に連結されることもできる。そして、変形例によるタッチスクリーン１２０は、第１及び第２補助電極（Ｓｘａ、Ｓｘｂ）のうち、いずれか一つを含んで構成されることもできる。この場合、前述したタッチ強度感知の時に、タッチ強度感知のためのタッチ感知電極として使用される電極の面積が減少して力センシング効率が一つの補助電極の面積だけ減少するが、タッチ位置感知の時にタッチ駆動電極（Ｔｘ）とタッチ感知電極間の形成される電界形成領域が省略される補助電極の面積だけ増加して位置センシング効率が増加することができる。
【００９５】
このような、本発明による移動端末機が図６〜図１０に図示されたタッチスクリーン１２０で構成される場合、前述した制御部１４０は、静電容量方式でタッチ位置をセンシングするとともに、タッチ強度による弾性誘電体部材１２６の厚さ変化による静電容量変化からタッチ強度をセンシングするようになる。又、前述した制御部１４０は、弾性誘電体部材１２６の上下面に形成された電極に信号が印加されるようにしてタッチ位置に対応されるハプティック領域に振動のようなハプティック効果を具現する。
【００９６】
図１１は、本発明の一例による移動端末機の駆動方法において、ロック解除方法を説明するための順序図である。
【００９７】
図１１を図１と結びつけて、本発明の一例による移動端末機の駆動方法において、ロック解除方法を説明すると次のようである。
【００９８】
先ず、図３に図示されたように、弱タッチと強タッチ各々を定義する第１及び第２基準値各々は、ユーザー設定により予め設定されて格納部１５０に格納されており、弱タッチ及び強タッチの組み合わせからなるロック解除強度の組み合わせもまた、ユーザー設定により予め設定されて格納部１５０に格納されている。
【００９９】
先ず、制御部１４０は、ロックモード（Ｓ１１０）においてタッチ駆動部１３０を通じてロックモード解除のための複数のタッチをセンシングする（Ｓ１２０）。
【０１００】
続いて、ロックモードにおいて複数のタッチが発生すると（Ｓ１３０の“Ｙｅｓ”）、制御部１４０は、タッチ駆動部１３０から提供される複数のタッチ各々の強度感知データから複数のタッチ強度を検出し、格納部１５０に格納されている第１基準値と第１基準値より大きい第２基準値を基準として、ロックモードから検出された複数のタッチ強度各々を弱タッチ又は強タッチに分類して入力タッチ強度の組み合わせを検出する（Ｓ１４０）。
【０１０１】
続いて、制御部１４０は、ロックモードから検出された入力タッチ強度の組み合わせと格納部に格納されているロック解除強度の組み合わせのマッチングの有無を判断する（Ｓ１５０）。
【０１０２】
万一、前記Ｓ１５０段階の判断結果、前記ロック解除強度の組み合わせとロックモードから検出された入力タッチ強度の組み合わせが互いにマッチングする場合（Ｓ１５０の“Ｙｅｓ”）、制御部１４０は、ロックモードを解除して移動端末機の駆動モードを実行する（Ｓ１６０）。
【０１０３】
その後、駆動モードにおいてロックモードの実行のための複数のタッチが発生すると、制御部１４０は、複数のタッチ各々の強度感知データから入力タッチ強度の組み合わせを検出する（Ｓ１７０）。
【０１０４】
その後、制御部１４０は、駆動モードから検出された入力タッチ強度の組み合わせと格納部１５０に格納されているロック解除強度の組み合わせのマッチングの有無を判断する（Ｓ１８０）。
【０１０５】
万一、前記Ｓ１８０段階の判断結果、前記ロック解除強度の組み合わせと駆動モードから検出された入力タッチ強度の組み合わせが互いにマッチングしない場合（Ｓ１８０の“Ｎｏ”）、制御部１４０は、駆動モードの実行を維持する（Ｓ１９０）。
【０１０６】
一方、前記Ｓ１３０段階の判断結果、ロックモードにおいて複数のタッチが発生しない場合（Ｓ１３０の“Ｎｏ”）、及び前記Ｓ１５０段階の判断結果、前記ロック解除強度の組み合わせとロックモードから検出された入力タッチ強度の組み合わせが互いにマッチングしない場合（Ｓ１５０の“Ｎｏ”）、制御部１４０はロックモードを解除せず、ロックモードの実行を維持する。そして、前記Ｓ１８０段階の判断結果、前記ロック解除強度の組み合わせと駆動モードから検出された入力タッチ強度の組み合わせが互いにマッチングする場合（Ｓ１８０の“Ｙｅｓ”）、制御部１４０はロックモードを実行する（Ｓ１１０）。
【０１０７】
一方、前記ロック解除強度の組み合わせは、タッチ位置別タッチ強度に基づいて設定されることができる。この場合、制御部１４０は、タッチ位置とタッチ位置別タッチ強度をセンシングして、センシングされたタッチ位置別タッチ強度から入力タッチ強度の組み合わせを検出した後、タッチ位置別タッチ強度に基づいて設定されて、格納部１５０に格納されたロック解除強度の組み合わせと検出された入力タッチ強度の組み合わせのマッチングの有無のよってロックモードを解除して駆動モードを実行したりロックモードの実行を維持することもできる。又、駆動モードの時にユーザータッチによって検出されるロック解除強度の組み合わせと検出された入力タッチ強度の組み合わせのマッチングの有無のよってロックモードを実行したり駆動モードの実行を維持することもできる。
【０１０８】
図１２は、本発明の一例による移動端末機の駆動方法において、ロックモードでショートカット実行方法を説明するための順序図である。
【０１０９】
図１２を図１と結びつけて、本発明の一例による移動端末機の駆動方法において、ロックモードでショートカット実行方法を説明すると次のようである。
【０１１０】
先ず、図３〜図５に図示されたように、弱タッチと強タッチ各々を定義する第１及び第２基準値各々は、ユーザー設定により予め設定されて格納部１５０に格納されており、弱タッチ及び強タッチの組み合わせからなるロック解除強度の組み合わせ複数のタッチシナリオもまた、格納部１５０に各々格納されている。
【０１１１】
先ず、制御部１４０は、ロックモード（Ｓ２１０）においてタッチ駆動部１３０を通じてショートカット実行のための複数のタッチをセンシングする（Ｓ２２０）。
【０１１２】
続いて、ロックモードにおいて複数のタッチが発生すると（Ｓ２３０の“Ｙｅｓ”）、制御部１４０は、タッチ駆動部１３０から提供される複数のタッチ各々の強度感知データから複数のタッチ強度を検出し、格納部１５０に格納されている第１基準値と第１基準値より大きい第２基準値を基準として、ロックモードから検出された複数のタッチ強度各々を弱タッチ又は強タッチに分類して入力タッチ強度の組み合わせを検出する（Ｓ２４０）。
【０１１３】
続いて、制御部１４０は、ロックモードから検出された入力タッチ強度の組み合わせと格納部１５０に格納されている複数のタッチシナリオのうち、検出された入力タッチ強度の組み合わせとマッチングするタッチシナリオの有無を判断する（Ｓ２５０）。
【０１１４】
万一、前記Ｓ２５０段階の判断結果、複数のタッチシナリオのうち、検出された入力タッチ強度の組み合わせとマッチングするタッチシナリオが存在する場合（Ｓ２５０の“Ｙｅｓ”）、制御部１４０は、ロックモードを解除すると同時に、前記入力タッチ強度の組み合わせとマッチングするタッチシナリオに設定された機能を実行する（Ｓ２６０）。
【０１１５】
その後、駆動モードにおいてロックモードの実行のための複数のタッチが発生すると、制御部１４０は、複数のタッチ各々の強度感知データから入力タッチ強度の組み合わせを検出する（Ｓ２７０）。
【０１１６】
その後、制御部１４０は、駆動モードから検出された入力タッチ強度の組み合わせと格納部１５０に格納されているロック解除強度の組み合わせのマッチングの有無を判断する（Ｓ２８０）。
【０１１７】
万一、前記Ｓ２８０段階の判断結果、前記ロック解除強度の組み合わせと駆動モードから検出された入力タッチ強度の組み合わせが互いにマッチングしない場合（Ｓ２８０の“Ｎｏ”）、制御部１４０は、駆動モードの実行を維持する（Ｓ２９０）。
【０１１８】
一方、前記Ｓ２３０段階の判断結果、ロックモードにおいて複数のタッチが発生しない場合（Ｓ２３０の“Ｎｏ”）、及び前記Ｓ２５０段階の判断結果、複数のタッチシナリオのうち、検出された入力タッチ強度の組み合わせとマッチングするタッチシナリオが存在しない場合（Ｓ２５０の“Ｎｏ”）、制御部１４０はロックモードを解除せず、ロックモードの実行を維持する。そして、前記Ｓ２８０段階の判断結果、前記ロック解除強度の組み合わせと駆動モードから検出された入力タッチ強度の組み合わせが互いにマッチングする場合（Ｓ２８０の“Ｙｅｓ”）、制御部１４０はロックモードを実行する（Ｓ２１０）。
【０１１９】
以上のような、本明細書に記載された移動端末機は、タッチスクリーンに対するユーザータッチに基づいてロックモードを解除する機能を含む携帯電話、スマートフォン（ｓｍａｒｔ  ｐｈｏｎｅ）、ノートパソコン（ｌａｐｔｏｐ  ｃｏｍｐｕｔｅｒ）、ＰＤＡ（ｐｅｒｓｏｎａｌ  ｄｉｇｉｔａｌ  ａｓｓｉｓｔａｎｔｓ）、ＰＭＰ（ｐｏｒｔａｂｌｅ  ｍｕｌｔｉｍｅｄｉａ  ｐｌａｙｅｒ）、ナビゲーション、スレートパソコン（Ｓｌａｔｅ  ＰＣ）、Ｔａｂｌｅｔ  ＰＣ、Ｕｌｔｒａ  Ｂｏｏｋなどがなることができる。
【０１２０】
以上で説明した本発明は、前述した実施例及び添付された図面に限定されるものではなく、本発明の技術的思想を逸脱しない範囲内で様々な置換、変形及び変更が可能であるということが、本発明の属する技術分野における通常の知識を有する者にとって明らかである。したがって、本発明の範囲は、後述する特許請求の範囲によって示され、特許請求の範囲の意味及び範囲、そしてその等価概念から導かれるすべての変更又は変形された形態が本発明の範囲に属するものと解釈しなければならない。
【符号の説明】
【０１２１】
１１０    表示部
１２０    タッチスクリーン
１２２    第１基板
１２４    第２基板
１２６    弾性誘電体部材
１３０    タッチ駆動部
１４０    制御部
１５０    格納部    
【図１】
2016053952.tif 000004
【図２】
2016053952.tif 000005
【図３】
2016053952.tif 000006
【図４】
2016053952.tif 000007
【図５】
2016053952.tif 000008
【図６】
2016053952.tif 000009
【図７】
2016053952.tif 000010
【図８】
2016053952.tif 000011
【図９ａ】
2016053952.tif 000012
【図９ｂ】
2016053952.tif 000013
【図９ｃ】
2016053952.tif 000014
【図１０】
2016053952.tif 000015
【図１１】
2016053952.tif 000016
【図１２】
2016053952.tif 000017